(57)【要約】【課題】画像形成装置等の情報処理装置において、ユーザの利用目的に応じた最適な画面表示を可能にして、利便性を向上させる。【解決手段】画像形成装置１等の情報処理装置は、画像データを処理して所定の画面をパネル部５に表示する装置であって、複数の外部要因（例えば、スキャナ部３への原稿のセット、ＵＳＢメモリ６５の接続等）に基づいて、特定の画像データを選択し、この選択された特定の画像データに対応する１つの初期画面を表示部５に表示する。前記特定の画像データは、例えば、情報処理装置の使用状態を示す履歴情報の中から選択される。【選択図】図１
2016082353.tif 000002
【特許請求の範囲】
【請求項１】
画像データを処理して所定の画面を表示部に表示する情報処理装置であって、
複数の外部要因に基づいて特定の前記画像データを選択し、選択された前記特定の画像データに対応する１つの画面を前記表示部に表示することを特徴とする情報処理装置。
【請求項２】
前記特定の画像データは、
前記情報処理装置の使用状態を示す履歴情報の中から選択することを特徴とする請求項１記載の情報処理装置。
【請求項３】
前記情報処理装置は、
処理された前記画像データの前記画面を前記表示部に表示すると共に、表示された前記画面を印刷媒体に印刷する画像形成装置であって、
前記画像形成装置を利用するユーザを認証する認証手段と、
前記ユーザが実行する機能の前提条件となり得る前記複数の外部要因を確認する前提条件確認手段と、
確認された前記複数の外部要因に基づいて前記特定の画像データを選択し、選択された前記特定の画像データに対応する前記１つの画面を、認証された前記ユーザに応じた初期画面として決定して前記表示部に表示させる表示制御手段と、
を有することを特徴とする請求項１又は２記載の情報処理装置。
【請求項４】
前記前提条件確認手段は、原稿を読み取るスキャナ部にセットされる前記原稿の有無を検出し、
前記表示制御手段は、前記前提条件確認手段によって、前記スキャナ部に前記原稿がセットされていることが検出された場合に、スキャン機能に係る前記１つの画面を前記初期画面として決定して前記表示部に表示させることを特徴とする請求項３記載の情報処理装置。
【請求項５】
前記前提条件確認手段は、ＵＳＢメモリの接続の有無を検出し、
前記表示制御手段は、前記前提条件確認手段によって、前記ＵＳＢメモリが接続されていることが検出された場合に、前記ＵＳＢメモリに係る機能の前記１つの画面を前記初期画面として決定して前記表示部に表示させることを特徴とする請求項３記載の情報処理装置。
【発明の詳細な説明】
【技術分野】
【０００１】
本発明は、認証機能を有する画像形成装置等の情報処理装置に関するものである。
【背景技術】
【０００２】
従来、特許文献１等に記載されているように、情報処理装置の１つであるプリンタやデジタル複合機（MultiFunction  Printer/Product/Peripheral、以下「ＭＦＰ」という。）等の画像形成装置は、利用者（ユーザ）を特定する認証機能を有し、特定したユーザ毎に、ユーザが装置にログイン（即ち、正規のユーザであることを証明し、操作可能な状態にすること）した直後に、操作パネルに表示する画面を設定・変更する初期画面のカスタマイズ機能を有している。
【先行技術文献】
【特許文献】
【０００３】
【特許文献１】特開２００５−２４４４８９号
【発明の概要】
【発明が解決しようとする課題】
【０００４】
しかしながら、従来の情報処理装置の１つである画像形成装置では、ユーザ毎に所望の画面、例えば、複写（コピー）を実行するためのコピー待機画面等をログイン直後の初期画面として登録することができるが、ユーザは初期画面の機能を常に利用したいわけではなく、それ以外の機能を利用する場合には、結局、所望の機能を実行するための画面まで操作しなければならないという課題があった。
【課題を解決するための手段】
【０００５】
本発明の情報処理装置は、画像データを処理して所定の画面を表示部に表示する情報処理装置であって、複数の外部要因に基づいて特定の前記画像データを選択し、選択された前記特定の画像データに対応する１つの画面を前記表示部に表示することを特徴とする。
【０００６】
前記情報処理装置は、例えば、処理された前記画像データの前記画面を前記表示部に表示すると共に、表示された前記画面を印刷媒体に印刷する画像形成装置であって、前記画像形成装置を利用するユーザを認証する認証手段と、前記ユーザが実行する機能の前提条件となり得る前記複数の外部要因を確認する前提条件確認手段と、確認された前記複数の外部要因に基づいて前記特定の画像データを選択し、選択された前記特定の画像データに対応する前記１つの画面を、認証された前記ユーザに応じた初期画面として決定して前記表示部に表示させる表示制御手段と、を有している。
【発明の効果】
【０００７】
本発明によれば、複数の外部要因に基づいて特定の画像データを選択し、この選択された特定の画像データに対応する１つの画面を表示部に表示するようにしたので、ユーザの利用目的に応じた最適な画面表示が可能になり、利便性が向上する。
【図面の簡単な説明】
【０００８】
【図１】図１は本発明の実施例１における情報処理装置の１つである画像形成装置の概略の構成を示すブロック図である。
【図２】図２は図１の画像形成装置１の主要機構を説明する構成図である。
【図３】図３は図２中の画像形成ユニットを示す概略の構成図である。
【図４】図４は図１中のユーザ情報テーブル６２ａの構成を説明する図である。
【図５】図５は図１中のジョブログテーブル６２ｂの構成を説明する図である。
【図６】図６は図１中の集計情報テーブル６２ｃの構成を説明する図である。
【図７】図７はユーザが画像形成装置１を利用する際に、画像形成装置１が実行する認証及び初期画面表示の動作を示すフローチャートである。
【図８】図８は図７中のステップＳ６の初期画面判定処理の動作を示すフローチャートである。
【発明を実施するための形態】
【０００９】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１０】
（実施例１の構成）
図１は、本発明の実施例１における情報処理装置の１つである画像形成装置の概略の構成を示すブロック図である。
【００１１】
画像形成装置１は、例えば、印刷媒体としての用紙に印刷を行うプリンタ部２、原稿から画像を読み取るスキャナ部３、プリンタ部２に接続されたフィニッシャ部４、パネル部５、及びシステム制御部６を備えるＭＦＰである。プリンタ部２、スキャン部３、及びパネル部５は、システム制御部６に接続されている。
【００１２】
フィニッシャ部４は、印刷後の用紙に対してパンチ加工や表紙成型等の製版過程が可能な機能を有している。パネル部５は、例えば、英数字等を入力するキーボードと、タッチパネル形式の液晶ディスプレイ５ａと、により構成されている。このパネル部５では、画像形成装置１とユーザが対話的に情報を交換するためのグラフィカルユーザフェース（Graphica1  User  Interface、以下「ＧＵＩ」という。）画面を表示する機能を有している。ＧＵＩは、情報の提示に画像や図形を多用し、基礎的な操作の大半を画面上の位置の指示により行うことができるような手法のことである。
【００１３】
システム制御部６は、画像形成装置１を総括的に制御する前提条件確認手段及び表示制御手段としての制御部６１を有している。制御部６１は、中央処理装置（ＣＰＵ）等で構成され、これには、記憶部６２と、ＵＳＢ（Universa1  Seria1  Bus）メモリ制御部６３と、印刷制御部６６と、読み取り制御部６７と、認証手段及び表示制御手段としてのパネル制御部６８と、が接続されている。
【００１４】
記憶部６２は、ハードディスク等の大容量記憶媒体を有しており、ユーザ情報テーブル６２ａ、ジョブログテーブル６２ｂ、及び履歴情報としての集計情報テーブル６２ｃを記憶している。ＵＳＢメモリ制御部６３は、ＵＳＢホストコネクタ６４に接続されるＵＳＢメモリ６５の挿抜を検出すると共に、該ＵＳＢメモリ６５に対してデータの読み書きを行うものである。ＵＳＢメモリ６５は、フラッシュメモリを内蔵した携帯型の記憶装置であり、ＵＳＢホストコネクタ６４に接続して使用される。
【００１５】
印刷制御部６６は、ページ記述言語（Page  Description  Language、以下「ＰＤＬ」という。）データや、スキャナ部３で読み取った画像データに基づいて、印刷画像を生成し、プリンタ部２及びフィニッシャ部４を制御して印刷を行うものである。ＰＤＬは、コンピュータ上で作成された文書や画像等を印刷する際に、プリンタ部２への出力イメージを記述してプリンタ部２に対して指示する言語である。読み取り制御部６７は、スキャナ部３を制御し、自動原稿送りユニット又はガラス台にセットされる原稿から画像を読み取るものである。
【００１６】
パネル制御部６８は、パネル部５にＧＵＩ画面を表示し、それに対するユーザ入力を解釈する機能を有している。パネル制御部６８は、例えば、ユーザが液晶ディスプレイ５ａ上に表示されているＧＵＩ部品のボタン部分をタッチした場合、そのタッチ位置と表示しているＧＵＩ画面の構成とに基づいて、タッチされたのがボタンであることを特定し、結果としてユーザ入力はボタン押下であるといった解釈を行う機能を有している。
【００１７】
図２は、図１の画像形成装置１の主要機構を説明する構成図である。更に、図３は、図２中の画像形成ユニットを示す概略の構成図である。
【００１８】
プリンタ部２は、用紙２１ａに印刷を行うものであり、画像形成装置１の下部に配置された複数段の給紙トレイ２１−１〜２１−５を有している。給紙トレイ２１−１〜２１−５に隣接して、給紙部２２が配置されている。画像形成装置１の上部には、画像形成部２３が配置されている。画像形成部２３における用紙搬送路の下流側には、定着器２５、排出部２６、及び両面印刷ユニット２７が配置されている。
【００１９】
給紙トレイ２１−１〜２１−５は、用紙２１ａを所定量備えるトレイである。印刷する際、給紙トレイ２１−１〜２１−５の積層方向上方の用紙２１ａが１枚ずつ給紙部２２によって給紙され、画像形成部２３へ搬送される。画像形成部２３は、ブラック（Ｋ）、イエロー（Ｙ）、マゼンタ（Ｍ）、シアン（Ｃ）の各現像剤像としてのトナー像を形成する４つの画像形成ユニット２４−１〜２４−４を有している。４つの画像形成ユニット２４−１〜２４−４は、例えば、発光ダイオード（Light  Emitting  Diode、以下「ＬＥＤ」という。）方式のデジタルカラープリンタであり、用紙２１ａの挿入側から排出側に向かって順に並べて配設されている。
【００２０】
各画像形成ユニット２４−１〜２４−４は、個別のモータにより駆動され、像担持手段としての感光体ドラム２４ａと、帯電手段としての帯電ローラ２４ｂと、露光手段としてのＬＥＤヘッド２４ｃと、現像部と、転写手段としての転写ローラ２４ｇ等と、により構成されている。現像部は、現像剤担持手段としての現像ローラ２４ｄ、現像剤供給手段としてのトナー供給ローラ２４ｅ、及び現像剤収容器としてのトナーカートリッジ２４ｆを有している。
【００２１】
感光体ドラム２４ａは、一方向に回転し、帯電ローラ２４ｂがそれぞれの感光体ドラム２４ａの表面を一様に帯電させる。ＬＥＤヘッド２４ｃは、帯電された感光体ドラム２４ａの表面を画像データに従って露光し、各色の静電潜像を形成する。現像部は、現像ローラ２４ｄ、トナー供給ローラ２４ｅ、及び各色トナーの入ったトナーカートリッジ２４ｆを有し、対応する色の静電潜像を現像して、感光体ドラム２４ａ上にそれぞれトナー像を形成する。感光体ドラム２４ａ上に形成されたトナー像は、転写ローラ２４ｇによって用紙２１ａに転写され、該用紙２１ａが定着器２５へ搬送されるようになっている。
【００２２】
定着器２５は、定着用のローラ２５ａと、加圧用のローラ２５ｂとから構成されている。定着器２５は、ヒータ等による熱とローラ２５ａ，２５ｂ同士による圧力とによって、画像形成部２３で形成されたトナー像を有する用紙２１ａ上のトナーを定着させる。トナー像が定着した用紙２１ａは、排出部２６によってスタッカ、或いは、フィニッシャ部４へ排出される。フィニッシャ部４では、ユーザの指示に基づいて、排出される用紙２１ａに対する穴あけ処理やステープル処理等を行う構成になっている。
【００２３】
両面印刷ユニット２７は、定着器２５よりも用紙搬送路の下流側に配置されており、トナー像が定着した面を有する用紙２１ａを反転させて、トナー像が定着していない面にトナー像を付着させるように、再度、画像形成部２３へ搬送させるようになっている。
【００２４】
プリンタ部２の上部には、スキャナ部３が装着されている。スキャナ部３は、自動原稿送りユニット３１、ガラス台３２、及び読み取りヘッド３３により構成されている。スキャナ部３では、自動原稿送りユニット３１又はガラス台３２にセットされる原稿（例えば、写真、文書、図面等の画像が描画、印刷された紙やフィルム等といった原稿）を、読み取りヘッド３３によって光学的に走査し、該反射光や透過光の強度を測定し、アナログデジタル変換して画像データを生成するようになっている。なお、自動原稿送りユニット３１及びガラス台３２は、図示しないセンサによって原稿がセットされているか否かを検出することができるようになっている。
【００２５】
図４は、図１中のユーザ情報テーブル６２ａの構成を説明する図である。
ユーザ情報テーブル６２ａは、画像形成装置１の利用が許可されているユーザ（Ｕｓｅｒ）を特定するための情報を管理するテーブルである。ユーザ情報テーブル６２ａは、各ユーザを一意に特定するための情報である「ユーザ名」６２ａ１（＝Ｕｓｅｒ１，Ｕｓｅｒ２，・・・）と、ユーザ本人であることを特定するための情報である「パスワード」６２ａ２（＝ｐａｓｓｗｄ１，ｐａｓｓｗｄ２，・・・）と、で構成されている。
【００２６】
図５は、図１中のジョブログテーブル６２ｂの構成を説明する図である。
ジョブログテーブル６２ｂは、画像形成装置１でジョブ（ｊｏｂ；コンピュータが処理する仕事の単位）が実行される度に、該実行されたジョブに関する情報（ログ（ｌｏｇ）；ユーザのアクセス情報やデータの入出力状況等の履歴情報を記録したファイル）が記録されるテーブルである。ジョブログテーブル６２ｂは、各ジョブの履歴情報を一意に特定するための番号「ＩＤ」６２ｂ１（＝００１，００２，・・・）と、該ジョブを実行したユーザを示す情報「ユーザ名」６２ｂ２（＝Ｕｓｅｒ１，Ｕｓｅｒ２，・・・）と、実行されたジョブの種別を示す情報「ジョブ種別」６２ｂ３（＝コピー、スキャンＴＯ  Ｅメール、・・・）と、ジョブの実行結果を示す情報「実行結果」６２ｂ４（＝成功、失敗、キャンセル）と、で構成されている。
【００２７】
図６は、図１中の集計情報テーブル６２ｃの構成を説明する図である。
集計情報テーブル６２ｃは、特定ユーザ（例えば、Ｕｓｅｒ１）に対して、ジョブログテーブル６２ｂの情報をジョブ種別毎に集計したテーブルである。集計情報テーブル６２ｃは、各エントリ（ｅｎｔｒｙ；情報の入力）の番号「Ｎｏ」６２ｃ１（＝１，２，・・・）と、集計単位であるジョブの種別「ジョブ種別」６２ｃ２（＝コピー、スキャンＴＯ  Ｅメール、・・・）と、エントリのジョブ種別６２ｃ２がスキャナ部３のスキャン機能を利用するジョブであるか否かを示すフラグ「スキャン」６２ｃ３（＝ＹＥＳ、ＮＯ）と、エントリのジョブ種別６２ｃ２がＵＳＢメモリを利用するジョブであるか否かを示すフラグ「ＵＳＢメモリ」６２ｃ４（＝ＮＯ、ＹＥＳ）と、ジョブログテーブル６２ｂを集計した結果得られる各ジョブを実行した回数「回数」６２ｃ５（＝１０，５０，・・・）と、で構成されている。
【００２８】
（実施例１の動作）
図７は、ユーザが画像形成装置１を利用する際に、画像形成装置１が実行する認証及び初期画面表示の動作を示すフローチャートである。
【００２９】
認証及び初期画面表示の動作が開始されると、ステップＳ１において、図１中の認証手段及び表示制御手段としてのパネル制御部６８は、画像形成装置１の認証機能が有効である場合（ＹＥＳ）、ステップＳ２へ進み、認証機能が無効である場合（ＮＯ）、動作を終了する。ステップＳ２において、パネル制御部６８は、ユーザがユーザ名とパスワードを入力するための認証画面としてのＧＵＩ画面をパネル部５に表示し、ステップＳ３へ進む。
【００３０】
ステップＳ３において、ユーザにより、パネル部５に対するタッチパネル操作とキー操作によって、自身のユーザ名とパスワードが入力されると、ステップＳ４へ進む。ステップＳ４において、パネル制御部６８は、パネル部５のＧＵＩ画面から、ユーザが入力したユーザ名とパスワードを取り出し、該情報と一致する登録データが記憶部６２内のユーザ情報テーブル６２ａに存在するか否かを検索し、ステップＳ５へ進む。ステップＳ５において、パネル制御部６８は、ユーザが入力した情報と一致する登録データがユーザ情報テーブル６２ａに存在するか否か（即ち、エントリありか否か）を判定し、存在しない場合は（ＮＯ）、ステップＳ２に戻り、存在する場合は（ＹＥＳ）、ステップＳ６へ進む。
【００３１】
ステップＳ５においてステップＳ２に戻った場合、パネル制御部６８は、ユーザの認証が失敗したことを通知するＧＵＩ画面を一定時間表示した後、ユーザ名とパスワードを入力するためのＧＵＩ画面をパネル部５に表示する。その後、前記と同様のステップＳ３，Ｓ４の動作を行う。ステップＳ５においてステップ６へ進んだ場合、画像形成装置１は、認証したユーザに対し、パネル部５に最初に表示する初期画面を決定するための初期画面判定処理を実行し、動作を終了する。
【００３２】
図８は、図７中のステップＳ６の初期画面判定処理の動作を示すフローチャートである。
初期画面判定処理の動作が開始されると、ステップＳ６１において、パネル制御部６８は、認証したユーザのユーザ名と共に、該ユーザに関するジョブログテーブル６２ｂを集計する指示を、前提条件確認手段及び表示制御手段としての制御部６１へ出力する。制御部６１は、記憶部６２内のジョブログテーブル６２ｂのユーザ名６２ｂ２が入力されたユーザ名と一致するエントリを検索し、検索されたエントリのジョブ種別６２ｂ３を読み出し、該ジョブ種別６２ｂ３と一致する集計情報テーブル６２ｃのジョブ種別６２ｃ２を特定し、特定されたエントリの回数６２ｃ５の値を１加算し、ステップＳ６２へ進む。
【００３３】
ステップＳ６２において、制御部６１は、読み取り制御部６７を介して、スキャナ部３の自動原稿送りユニット３１又はガラス台３２に原稿がセットされているか否か、即ち、外部要因として原稿があるか否かを確認し、原稿ありの場合は（ＹＥＳ）、ステップＳ６３へ進み、原稿なしの場合は（ＮＯ）、ステップＳ６５へ進む。ステップＳ６３において、制御部６１は、ＵＳＢメモリ制御部６３を介して、外部要因としてＵＳＢホストコネクタ６４にＵＳＢメモリ６５が接続されているか否かを確認し、ＵＳＢメモリ６５が接続されている場合は（ＹＥＳ）、ステップＳ６４へ進み、ＵＳＢメモリ６５が接続されていない場合は（ＮＯ）、ステップＳ６７へ進む。
【００３４】
ステップＳ６４において、制御部６１は、記憶部６２内の履歴情報としての集計情報テーブル６２ｃに基づいて、外部要因としてのスキャン６２ｃ３とＵＳＢメモリ６２ｃ４の両方がＹＥＳであるエントリ番号６２ｃ１のＮｏ．３「スキャンＴＯ  ＵＳＢメモリ」を初期画面に表示することを決定し、パネル制御部６８に通知する。パネル制御部６８は、「スキャンＴＯ  ＵＳＢメモリ」を実行するためのＧＵＩ画面をパネル部５に表示する。ユーザは、そのＧＵＩ画面を見て、「スキャンＴＯ  ＵＳＢメモリ」を実行する場合、ＧＵＩ画面内の該当する箇所の例えばスタートボタンを押下する。これにより、スキャナ部３で読み取られた原稿のデータが、ＵＳＢメモリ制御部６３及びＵＳＢホストコネクタ６４を介してＵＳＢメモリ６５に記憶される。
【００３５】
ステップＳ６２の確認結果で、原稿なしとしてステップＳ６５へ進んだ場合、制御部６１は、ＵＳＢメモリ制御部６３を介して、外部要因としてＵＳＢホストコネクタ６４にＵＳＢメモリ６５が接続されているか否かを確認し、ＵＳＢメモリ６５が接続されている場合は（ＹＥＳ）、ステップＳ６６へ進み、ＵＳＢメモリ６５が接続されていない場合は（ＮＯ）、ステップＳ６９へ進む。
【００３６】
ステップＳ６６において、制御部６１は、スキャナ部３に原稿がなく、且つ、ＵＳＢホストコネクタ６４にＵＳＢメモリ６５が接続されているので、記憶部６２内の集計情報テーブル６２ｃに基づいて、スキャン６２ｃ３がＮＯ、且つ、ＵＳＢメモリ６２ｃ４がＹＥＳであるエントリ番号６２ｃ１のＮｏ．５「ＵＳＢダイレクトプリント」を初期画面に表示することを決定し、パネル制御部６８に通知する。パネル制御部６８は、ＵＳＢダイレクトプリントを実行するためのＧＵＩ画面をパネル部５に表示する。ユーザは、そのＧＵＩ画面を見て、「ＵＳＢダイレクトプリント」を実行する場合、ＧＵＩ画面内の該当する箇所の例えばスタートボタンを押下する。これにより、制御部６１の制御により、ＵＳＢメモリ制御部６３を介してＵＳＢメモリ６５から読み取られたデータが、印刷制御部６６を介してプリンタ部２へ送られ、用紙に印刷される。
【００３７】
ステップＳ６７において、制御部６１は、スキャナ部３に原稿があり、且つ、ＵＳＢホストコネクタ６４にＵＳＢメモリ６５が接続されていないので、記憶部６２内の集計情報テーブル６２ｃに基づいて、スキャン６２ｃ３がＹＥＳ、且つ、ＵＳＢメモリ６２ｃ４がＮＯであるエントリの番号６２ｃ１「Ｎｏ．１，Ｎｏ．２，Ｎｏ．４」の中で、回数６２ｃ５が最も大きい値であるエントリの番号６２ｃ１を検索する。制御部６１は、前記条件に該当するエントリの番号６２ｃ１として、Ｎｏ．２「スキャンＴＯ  Ｅメール」を特定し、パネル制御部６８へ通知した後、ステップＳ６８へ進む。ステップＳ６８において、パネル制御部６８は、通知された「スキャンＴＯ  Ｅメール」を実行するためのＧＵＩ画面をパネル部５に表示する。ユーザは、そのＧＵＩ画面を見て、「スキャンＴＯ  Ｅメール」を実行する場合、ＧＵＩ画面内の例えば「宛先の電子メールアドレス」欄にアドレスを入力等した後、スタートボタンを押下する。これにより、制御部６１の制御により、読み取り制御部６７を介して、スキャナ部３にセットされた原稿が、読み取りヘッド３３で読み取られ、読み取られたデータが、図示しない通信手段により、宛先の電子メールアドレスへ送信される。
【００３８】
ステップＳ６９において、制御部６１は、スキャナ部３に原稿がなく、且つ、ＵＳＢホストコネクタ６４にＵＳＢメモリ６５が接続されていないので、記憶部６２内の集計情報テーブル６２ｃに基づいて、スキャン６２ｃ３がＮＯ、且つ、ＵＳＢメモリ５２ｃ４がＮＯであるエントリの番号６２ｃ１「Ｎｏ．６，Ｎｏ．７」の中で、回数６２ｃ５が最も大きい値であるエントリの番号６２ｃ１を検索する。制御部６１は、前記条件に該当するエントリの番号６２ｃ１として、Ｎｏ．７「認証印刷」を特定し、パネル制御部６８に通知した後、ステップＳ７０へ進む。ステップＳ７０において、パネル制御部６８は、通知された「認証印刷」を実行するためのＧＵＩ画面をパネル部５に表示する。ユーザは、そのＧＵＩ画面を見て、「認証印刷」を実行する場合、図７において本人確認が既に行われているので、ＧＵＩ画面内の例えば該当する箇所のスタートボタンを押下する。これにより、制御部６１で制御される読み取り制御部６７により、スキャナ部３にセットされた原稿が、読み取りヘッド３３で読み取られ、読み取られたデータが、印刷制御部６６を介してプリンタ部２で用紙に認証印刷される。
【００３９】
（実施例１の効果）
本実施例１によれば、スキャナ部３に対する原稿のセットや、ＵＳＢホストコネクタ６４に対するＵＳＢメモリ６５の接続のように、実行する前に事前準備をしなければならないジョブに関して、ユーザが画像形成装置１にログインする前に前記事前準備を実施し、ユーザを認証した直後に、前記事前準備の状況に基づいて、待機画面を表示するジョブ種別を決定し、該ジョブ種別の待機画面を初期画面として表示するようにしている。これにより、ユーザの利用目的に応じた最適な画面表示が可能になり、利便性が向上するという効果が得られる。
【００４０】
（変形例）
本発明は、上記実施例１に限定されず、種々の利用形態や変形が可能である。この利用形態や変形例としては、例えば、次の（ａ）〜（ｄ）のようなものがある。
【００４１】
（ａ）  実施例１では、ジョブ実行に対するユーザの意図（即ち、外部要因）、つまり、スキャナ部３への原稿のセット操作や、ＵＳＢホストコネクタ６４へのＵＳＢメモリ６５の接続操作が検出されない場合、記憶部６２内の集計情報テーブル６２ｃに基づいて、実行回数が最も多いジョブのＧＵＩ画面を表示したが、これに代えて、特定のＧＵＩ画面を固定的にパネル部５に表示しても良い。これにより、実施例１と略同様の作用効果を奏することができる。
【００４２】
（ｂ）  実施例１では、スキャナ部３への原稿のセット操作と、ＵＳＢホストコネクタ６４へのＵＳＢメモリ６５の接続操作のみをジョブ実行に対するユーザの意図としているが、これらに限定されない。例えば、画像形成装置１がスキャナ部３で読み取った画像データを、近距離無線通信によってスマートフォン等の携帯型端末に送信する機能を有する場合、画像形成装置１が検出、及び、通信できる範囲に、前記近距離無線通信が可能な携帯型端末を近づけることも、ジョブ実行に対するユーザの意図と解釈できる。
【００４３】
（ｃ）  実施例１では、画像形成装置１として、ＭＦＰを例として説明したが、プリンタやファクシミリ装置、複写器等にも、本発明の適用が可能である。
【００４４】
（ｄ）  実施例１では、画像形成装置１について説明したが、本発明は、データを処理して画面に表示するパーソナルコンピュータ（以下「ＰＣ」という。）等の画像処理装置にも適用が可能である。例えば、画像処理装置としてＰＣを備え、複数の外部要因（例えば、ＣＤＲＯＭ等の記憶媒体のＰＣへの挿入と、ＵＳＢメモリ６５のＰＣへの接続）に基づいて、特定の画像データを選択し、この選択された特定の画像データに対応する１つの画面をＰＣの表示部に表示する構成にした場合でも、実施例１と略同様の作用効果を奏することができる。
【符号の説明】
【００４５】
１      画像形成装置
２      プリンタ部
３      スキャナ部
５      パネル部
６      システム制御部
６１      制御部
６２      記憶部
６２ａ      ユーザ情報テーブル
６２ｂ      ジョブログテーブル
６２ｃ      集計テーブル
６３      ＵＳＢメモリ制御部
６５      ＵＳＢメモリ
６６      印刷制御部
６７      読み取り制御部
６８      パネル制御部
【図１】
2016082353.tif 000003
【図２】
2016082353.tif 000004
【図３】
2016082353.tif 000005
【図４】
2016082353.tif 000006
【図５】
2016082353.tif 000007
【図６】
2016082353.tif 000008
【図７】
2016082353.tif 000009
【図８】
2016082353.tif 000010